(57)【特許請求の範囲】
【請求項１】
第１のタイムスロットの間にプライマリ周波数帯においてプライマリセル（Ｐ−Ｃｅｌｌ）を提供し、
セカンダリ周波数帯が第２のタイムスロットの間にセカンダリセル（Ｓ−Ｃｅｌｌ）による利用のため利用可能であると判断し、前記第２のタイムスロットは前記第１のタイムスロットの以降のタイムスロットであり、前記セカンダリ周波数帯は前記プライマリ周波数帯と異なり、
前記Ｓ−Ｃｅｌｌが前記第１のタイムスロットの後であって決定された以降のタイムスロットの間に関連付けのため利用可能であるという通知を前記第１のタイムスロットの間にＵＥに送信し、前記以降のタイムスロットは前記以降のタイムスロットの開始時間及び終了時間を規定するタイミング境界と関連付けされるよう構成されるハードウェア処理回路と、
前記以降のタイムスロットの間にデータチャネルを含む前記Ｓ−Ｃｅｌｌを提供するよう構成されるＳ−Ｃｅｌｌモジュールと、
を有するｅＮｏｄｅＢ。
【請求項２】
前記通知は、決定されたタイムスロットにおいて前記Ｓ−Ｃｅｌｌにアクセスするよう前記ＵＥに指示する間欠受信（ＤＲＸ）サイクルを指定するＲＲＣ（Ｒａｄｉｏ  Ｒｅｓｏｕｒｃｅ  Ｃｏｎｔｒｏｌ）メッセージである、請求項１記載のｅＮｏｄｅＢ。
【請求項３】
前記通知は、ＰＤＣＣＨ（Ｐｈｙｓｉｃａｌ  Ｄｏｗｎｌｉｎｋ  Ｃｏｎｔｒｏｌ  Ｃｈａｎｎｅｌ）に配置される、請求項１記載のｅＮｏｄｅＢ。
【請求項４】
前記通知は、前記ＰＤＣＣＨにおけるビットフィールドである、請求項３記載のｅＮｏｄｅＢ。
【請求項５】
前記通知は、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）に配置される、請求項３記載のｅＮｏｄｅＢ。
【請求項６】
前記通知は、ビーコン信号に配置される、請求項１記載のｅＮｏｄｅＢ。
【請求項７】
前記通知は、前記Ｐ−Ｃｅｌｌに関連する物理ダウンリンク共有チャネル（ＰＤＳＣＨ）に配置される、請求項１記載のｅＮｏｄｅＢ。
【請求項８】
前記Ｓ−Ｃｅｌｌは、決定されたタイムスロットと１つ以上の他の連続するタイムスロットとにおいてのみ提供される、請求項１記載のｅＮｏｄｅＢ。
【請求項９】
前記決定されたタイムスロットは、セルに固有の方式で設定される、請求項１記載のｅＮｏｄｅＢ。
【請求項１０】
請求項１乃至９何れか一項記載のｅＮｏｄｅＢをプロセッサに実現させるためのプログラム。
【請求項１１】
メモリと、
ｅＮｏｄｅＢにより提供されるライセンス周波数帯においてプライマリセル（Ｐ−Ｃｅｌｌ）と関連付けし、
セカンダリセル（Ｓ−Ｃｅｌｌ）が特定のタイミング境界によって規定される特定の期間においてアンライセンス周波数帯において利用可能であるという通知を前記Ｐ−Ｃｅｌｌ上で受信し、
前記特定の期間において前記アンライセンス周波数帯上で前記ｅＮｏｄｅＢにより提供される前記Ｓ−Ｃｅｌｌと関連付けするよう構成されるハードウェア処理回路と、
を有するユーザ装置（ＵＥ）。
【請求項１２】
前記通知は、間欠受信（ＤＲＸ）サイクルを指定するＲＲＣメッセージである、請求項１１記載のＵＥ。
【請求項１３】
前記通知は、ＰＤＣＣＨに配置される、請求項１１記載のＵＥ。
【請求項１４】
前記通知は、ＰＨＩＣＨに配置される、請求項１１記載のＵＥ。
【請求項１５】
前記通知は、ビーコン信号に配置される、請求項１１記載のＵＥ。
【請求項１６】
請求項１１乃至１５何れか一項記載のＵＥをプロセッサに実現させるためのプログラム。
【請求項１７】
請求項１０又は１６記載のプログラムを記憶するためのコンピュータ可読記憶媒体。
【発明の詳細な説明】
【技術分野】
【０００１】
本特許出願は、参照することによりその全体がここに援用される米国仮特許出願第６１／９６８，２８１号に対する優先権を主張する２０１４年１１月２６日に出願された米国出願第１４／５５４，２２１号に対する優先権を主張する。
【０００２】
実施例は無線技術に関する。一部の実施例は異なる無線技術の共存に関する。
【背景技術】
【０００３】
ロングタームエボリューション（ＬＴＥ）及びロングタームエボリューションアドバンスト（ＬＴＥ−Ａ）に基づき高速データ接続を利用するモバイルデバイスの普及が増加し続けている。これらのモバイルデバイスは、外部においてより豊富なコンテンツとより良好なユーザ体感とをダウンロードするための能力をユーザに提供する。例えば、ユーザは高品位ビデオをストリーミングし、高品質な音楽をストリーミングし、ネットワークゲームをプレイし、アプリケーションをダウンロードするなどしてもよい。
【図面の簡単な説明】
【０００４】
必ずしも縮尺されて描かれていない図面において、同様の数字は異なる図において同様のコンポーネントを記述してもよい。異なる添え字を有する同様の数字は、同様のコンポーネントの異なるインスタンスを表すものであってもよい。図面は、限定的でなく例示的に本文書において説明される各種実施例を全体的に示す。
【図１】図１は、本開示の具体例によるパラメータＯｎＤｕｒａｔｉｏｎＴｉｍｅｒ及びＬｏｎｇＤＲＸＣｙｃｌｅ及びＳ−Ｃｅｌｌ可用性のタイムラインによって決定されるＤＲＸ可用性を示す一例となるタイムラインを示す。
【図２Ａ】図２Ａは、本開示の具体例によるＰ−ＣｅｌｌのＰＤＣＣＨを用いてＳ−Ｃｅｌｌの可用性を示す図を示す。
【図２Ｂ】図２Ｂは、本開示の具体例によるＰ−ＣｅｌｌのＰＤＣＣＨを用いてＳ−Ｃｅｌｌの可用性を示す図を示す。
【図３】図３は、本開示の具体例によるスケジューリングを用いてＳ−Ｃｅｌｌの可用性を示す図を示す。
【図４】図４は、本開示の具体例によるＳ−Ｃｅｌｌがオン又はオフであることを示すｅＮｏｄｅＢの方法のフローチャートを示す。
【図５】図５は、本開示の具体例によるＳ−Ｃｅｌｌ可用性が通知されるＵＥにより実行される方法のフローチャートを示す。
【図６】図６は、本開示の具体例によるＳ−Ｃｅｌｌ上でキャリアに固有のＤＲＸを実行するためＵＥにより実行される方法のフローチャートを示す。
【図７】図７は、本開示の具体例によるＳ−Ｃｅｌｌ可用性を決定するためＵＥにより実行される方法のフローチャートを示す。
【図８】図８は、本開示の具体例によるＳ−Ｃｅｌｌ可用性を決定するためＵＥにより実行される方法のフローチャートを示す。
【図９】図９は、本開示の具体例によるＳ−Ｃｅｌｌ可用性を決定するためＵＥにより実行される方法のフローチャートを示す。
【図１０】図１０は、本開示の具体例によるｅＮｏｄｅＢ及びＵＥの論理的概略を示す。
【図１１】図１１は、１つ以上の実施例が実現されうるマシーンの具体例を示すブロック図である。
【発明を実施するための形態】
【０００５】
これらのモバイルデバイスに対する需要の増加は、増加するユーザベースの需要を満たすため無線キャリアに対する圧力を増加させる。ＵＭＴＳ（Ｕｎｉｖｅｒｓａｌ  Ｍｏｂｉｌｅ  Ｔｅｌｅｃｏｍｍｕｎｉｃａｔｉｏｎｓ）、ＬＴＥ及びＬＴＥ−Ａなどの無線技術のための既存のライセンスされた周波数スペクトルを利用する際に効率性の増加にもかかわらず、キャリアは、現在の帯域幅の割当てによりデータサービスに対する需要を満たすことを困難にしていると分かる。
【０００６】
ＬＴＥ−Ｕｎｌｉｃｅｎｓｅｄ（ＬＹＥ−Ｕ）は、ＩＳＭ（Ｉｎｄｕｓｔｒｉａｌ，Ｓｃｉｅｎｔｉｆｉｃ  ａｎｄ  Ｍｅｄｉｃａｌ）バンドなどのアンライセンスバンドを利用するための取り組みである。その目的は、これらの周波数帯の利用を通じてＬＴＥネットワークの容量を増加させることである。ＬＴＥ−Ｕは、標準的なＬＴＥセルと比較して、より低い送信電力によるより小さなセルを対象とする。一部の具体例では、ＬＴＥ−Ｕは、キャリアアグリゲーションを利用して共存するライセンス及びアンライセンスセルを集約してもよい。キャリアアグリゲーションは、複数のＬＴＥキャリアが４Ｇ  ＬＴＥ  Ａｄｖａｎｃｅｄのための高データレートを提供するため一緒に利用されることを可能にする。
【０００７】
ＬＴＥ−Ｕはモバイルデータに対する増大する需要により良好にサービス提供するため、ＬＴＥネットワークの利用可能な帯域幅を増加させるための可能性を提供するが、ＬＴＥ−Ｕに利用されるスペクトラムは他の通信プロトコルと共有される。一部の具体例では、ＩＥＥＥ（Ｉｎｓｔｉｔｕｔｅ  ｆｏｒ  Ｅｌｅｃｔｒｏｎｉｃｓ  ａｎｄ  Ｅｌｅｃｔｒｉｃａｌ  Ｅｎｇｉｎｅｅｒｓ（ＩＥＥＥ）８０２．１１規格（通常はＷｉ−Ｆｉとして参照される）に従って動作するもの、ブルートゥース（登録商標）規格に従って動作するもの、ＩＥＥＥ８０２．１５規格（通常はＺｉｇＢｅｅとして参照される）に従って動作するものなどのネットワークは、これらのスペクトル帯において動作する。一部の具体例では、干渉を回避するため、これらの周波数帯においてＬＴＥ−Ｕネットワーク及び他のネットワークはスペクトルを時分割してもよい。すなわち、各ネットワークは、当該ネットワークが媒体への排他的なアクセスを有する時間部分（例えば、タイムスロット、タイムスライス又はタイムウィンドウなど）を有する。他の具体例では、ＬＴＥ−Ｕセルを提供するｅＮｏｄｅＢ（基地局）は、媒体がより軽いトラフィックを体感している期間において媒体をモニタし、これらの期間においてＬＴＥ−Ｕセルを提供する。
【０００８】
ＬＴＥ−Ｕを実現する際の目的は、既存のＬＴＥ機能を再利用して、実装の時間及び複雑さを低減することである。しかしながら、この時間多重方式を実現するため、アンライセンススペクトルにおいて動作するＬＴＥ−Ｕセルは、比較的迅速にスイッチオン及びオフされる必要がある。これをユーザ装置（ＵＥ）に通知するための既存のＬＴＥ機能は遅すぎる。
【０００９】
ＬＴＥ機能を再利用するか、又はＬＴＥ仕様に対して軽微な変更しか必要とせず、ＬＴＥ−Ｕセルの可用性に関してＵＥに迅速に通知する方法、システム及びマシーン可読媒体が、一部の具体例において開示される。これらの技術を利用して、オン／オフ処理は数ミリ秒（ｍｓ）のオーダとなる。コンポーネントキャリア（ＣＣ）に固有の間欠受信（ＤＲＸ）シグナリング、物理ダウンリンク制御チャネル（ＰＤＣＣＨ）シグナリング、ダウンリンク（ＤＬ）アサイメントベースシグナリング、物理ハイブリッド自動再送要求インジケータチャネル（ＰＨＩＣＨ）シグナリング、ビーコンシグナリングなどを含む複数の技術がここで開示される。ここで用いられるプライマリセル又はＰ−Ｃｅｌｌという用語は、ライセンス周波数帯におけるセルを参照するのに用いられ、セカンダリセル又はＳ−Ｃｅｌｌは、アンライセンス周波数帯におけるセルを参照するのに用いられる。一部の具体例では、Ｐ−Ｃｅｌｌ及びＳ−Ｃｅｌｌは、何れの数のチャネル及びチャネルの組み合わせを含む。一部のチャネルは、ＰＤＣＣＨなどの制御チャネル、物理ダウンリンク共有チャネル（ＰＤＳＣＨ）などのデータチャネル、ＰＨＩＣＨチャネル、１つ以上のビーコンチャネルなどの制御チャネルを含むものであってもよい。
【００１０】
一部の具体例では、よりダイナミックな処理（サブフレームなど）について、複数のインジケータがインジケータの階層において利用可能である。例えば、ＰＤＣＣＨによるＳ−Ｃｅｌｌ可用性インジケータ（又はトリガリング）の第２のレベル（後述される）が適用可能であり、インジケータの第２のレベル（ＰＤＣＣＨなどによる）は第１レベルインジケータ（ＤＲＸインジケータなど）をオーバライド可能である。
【００１１】
ＤＲＸ機能の利用
一部の具体例では、ＬＴＥ−Ｕセルの可用性は、モバイルデバイスをスリープ状態に配置する電力セービング技術の変更を介し通知される。例えば、ＬＴＥにおけるＤＲＸは、ＵＥが連続的でなく所定の期間においてＰＤＣＣＨをモニタすることを可能にする。これら所定の期間におけるＰＤＣＣＨのモニタリングは、ＰＤＣＣＨを連続的にモニタすることに対して、ＵＥのバッテリを節約する。ＬＴＥでは、ＤＲＸはＵＥに固有の方法で適用され、すなわち、モバイルはＵＥが関連付けされる全てのキャリアに対してウェイク又はスリープとなる。一部の具体例では、ＬＴＥに既に存在するＤＲＸ能力はＳ−Ｃｅｌｌキャリアのみに適用されてもよい。
【００１２】
一部の具体例では、ｅＮｏｄｅＢは、ＬＴＥ−Ｕセルが利用可能であるべき期間を決定できる。例えば、ｅＮｏｄｅＢは、直接的なメッセージング又は媒体センシングを通じてアンライセンススペクトルの他のユーザと連携してもよい。ｅＮｏｄｅＢは、Ｓ−Ｃｅｌｌ可用性の期間と一致させるため、ＵＥのＤＲＸパラメータを設定してもよい。例えば、ＵＥは、Ｓ−Ｃｅｌｌが利用可能であるとき、ウェイクし、Ｓ−ＣｅｌｌのＰＤＣＣＨをモニタし、Ｓ−Ｃｅｌｌが利用可能でないとき、ＤＲＸスリープ期間にあってもよい。
【００１３】
ＤＲＸパラメータは、スリープ状態に入る前に、ＵＥがＤＲＸサイクル毎にＰＤＣＣＨを読むフレーム数であるｏｎＤｕｒａｔｉｏｎＴｉｍｅｒを有してもよい。従って、ｏｎＤｕｒａｔｉｏｎＴｉｍｅｒは、ＵＥがウェイクするとウェイク状態に留まる期間を指定する。ＤＲＸパラメータＬｏｎｇＤＲＸＣｙｃｌｅは、スリープ時間に加えてｏｎＤｕｒａｔｉｏｎＴｉｍｅｒによって規定される“オン”時間の期間である。
【００１４】
図１は、本開示の一部の具体例によるパラメータｏｎＤｕｒａｔｉｏｎＴｉｍｅｒ及びＬｏｎｇＤＲＸＣｙｃｌｅ及びＳ−Ｃｅｌｌ可用性のタイムラインによって決定されるＤＲＸ可用性を示す一例となるタイムライン１０００を示す。図１に示されるように、ｏｎＤｕｒａｔｉｏｎＴｉｍｅｒは、１０１０及び１０２０においてＵＥがウェイク状態である期間を指定し、一部の具体例では、これはアンライセンススペクトル１０３０及び１０４０においてＳ−Ｃｅｌｌが利用可能である時間に一致可能である。ＵＥがウェイク状態にあるとき、ＵＥは、ＰＤＣＣＨをモニタし、物理ダウンリンク共有チャネル（ＰＤＳＣＨ）を受信し、チャネル状態情報（ＣＳＩ）を測定し、及び／又はＳ−Ｃｅｌｌの無線リソース管理（ＲＲＭ）測定を実行可能である。ＵＥがスリープ状態にあるとき、ＵＥは、Ｓ−Ｃｅｌｌキャリア（及び一部の具体例では、プライマリセル（Ｐ−Ｃｅｌｌ）もまた）についてチャネル／信号をモニタせず、スリープ可能である。これはまた、Ｓ−Ｃｅｌｌが１０６０において利用可能でない時間に相当する。一部の具体例では、ＵＥはウェイク状態であり、ＰＤＣＣＨをモニタし、物理ダウンリンク共有チャネル（ＰＤＳＣＨ）を受信し、チャネル状態情報（ＣＳＩ）を測定し、及び／又はＰ−Ｃｅｌｌに対して無線リソース管理（ＲＲＭ）測定を実行してもよい。Ｓ−Ｃｅｌｌが利用可能でない期間において、Ｓ−Ｃｅｌｌはオフされてもよい。ＬｏｎｇＤＲＸＣｙｃｌｅ１０７０は、ＤＲＸサイクル全体を指定し、ＵＥがウェイク状態にある時間＋ＵＥがスリープ状態にある時間として計算される。図１において、ＵＥがウェイク状態である時間がＳ−Ｃｅｌｌが利用可能である時間と正確に一致し、ＵＥがスリープ状態である時間がＳ−Ｃｅｌｌが利用可能でない時間と正確に一致するが、他の具体例では、ＵＥはＳ−Ｃｅｌｌ可用性の一部しかウェイク状態でなくてもよい。
【００１５】
ＰＤＣＣＨの利用
キャリアアグリゲーションでは、より古いデバイスとの互換性を維持しながら、複数のキャリアが帯域幅を増加させるのに利用される。一部の具体例では、Ｐ−Ｃｅｌｌ及びＳ−Ｃｅｌｌは集約されてもよい。キャリアアグリゲーションが利用されるとき、Ｓ−Ｃｅｌｌをスケジューリングするための２つの可能な機構がある。同一キャリアスケジューリングと呼ばれる１つの可能性では、各キャリアはそれ自体のＰＤＣＣＨを用いてそれ自体のリソースをスケジューリングする。クロスキャリアスケジューリングと呼ばれる他の可能性では、Ｓ−ＣｅｌｌからのリソースはＰ−Ｃｅｌｌ上のＰＤＣＣＨでスケジューリングされる。
【００１６】
一部の具体例では、Ｓ−ＣｅｌｌはＰ−Ｃｅｌｌ上で送信されるＰＤＣＣＨにおける情報フィールドによって（クロスキャリアスケジューリング）、又はＳ−Ｃｅｌｌ上で送信されるＰＤＣＣＨにおける情報フィールドによって（同一キャリアスケジューリング）オン又はオフされる。情報フィールドは、シンプルなバイナリ１又は０であってもよく、Ｓ−Ｃｅｌｌが現在又は以降における特定の期間において利用可能である（又は利用可能でない）ことを示すものであってもよい。
【００１７】
一部の具体例では、Ｓ−Ｃｅｌｌが利用可能であるか否かを示す特定のフィールドが、ＰＤＣＣＨに挿入されてもよい。他の具体例では、当該情報を伝達する１つ以上のＲＮＴＩ（Ｒａｄｉｏ  Ｎｅｔｗｏｒｋ  Ｔｅｍｐｏｒａｒｙ  Ｉｄｅｎｔｉｆｉｅｒ）が選択されてもよい。ＲＮＴＩは、ＰＤＣＣＨの循環冗長性チェック（ＣＲＣ）フィールドをスクランブル化するのに利用される。特定のＲＮＴＩを使用することは、Ｓ−Ｃｅｌｌが利用可能であることを示すものであってもよく、特定のＲＮＴＩの欠如が、Ｓ−Ｃｅｌｌが利用可能でないことを示すものであってもよい。他の具体例では、特定のＲＮＴＩは、Ｓ−Ｃｅｌｌが利用可能でないことを示すものであってもよく、特定のＲＮＴＩの欠如は、Ｓ−Ｃｅｌｌが利用可能であることを示すものであってもよい。更なる他の具体例では、特定のＲＮＴＩは、Ｓ−Ｃｅｌｌが利用可能であることを示し、異なるＲＮＴＩは、Ｓ−Ｃｅｌｌが利用可能でないことを示すものであってもよい。
【００１８】
他の具体例では、Ｓ−Ｃｅｌｌ可用性は、ｅＮｏｄｅＢがＰ−Ｃｅｌｌ（クロスキャリアスケジューリング）又はＳ−Ｃｅｌｌ（同一キャリアスケジューリング）の何れかにおいてＳ−ＣｅｌｌのＰＤＳＣＨをスケジューリングするか否かによって通知されてもよい。
【００１９】
図２Ａは、本開示の一部の具体例によるＰ−ＣｅｌｌのＰＤＣＣＨを用いてＳ−Ｃｅｌｌの可用性を通知する図２０００を示す。Ｐ−Ｃｅｌｌキャリア２０１０上のＰＤＣＣＨは、Ｓ−Ｃｅｌｌキャリアがオン又はオフであるか通知する。一部の具体例では、各期間２０３０〜２０５０は特定の時間単位（例えば、１０ミリ秒、１フレームなど）であってもよい。時間単位２０３０では、Ｓ−Ｃｅｌｌはオンであり、Ｐ−ＣｅｌｌはこれをＰＤＣＣＨにおいて通知する。例えば、ＰＤＣＣＨにおけるビットフィールドは、Ｓ−Ｃｅｌｌがオン又はオフであるか通知する。他の具体例では、特定のＲＮＴＩ値は、Ｓ−Ｃｅｌｌがオンであることを通知するためＰＤＣＣＨ  ＣＲＣをスクランブル化するのに利用されてもよい。時間単位２０４０では、Ｓ−Ｃｅｌｌはオフであり、Ｐ−ＣｅｌｌはこれをＰＤＣＣＨにおいて通知する。例えば、ＰＤＣＣＨにおけるビットフィールドは、Ｓ−Ｃｅｌｌがオン又はオフであるか通知する。他の具体例では、特定のＲＮＴＩ値は、Ｓ−Ｃｅｌｌがオフであることを通知するためＰＤＣＣＨ  ＣＲＣをスクランブル化するのに利用されてもよい。時間単位２０５０では、Ｓ−Ｃｅｌｌはオンであり、Ｐ−ＣｅｌｌはＳ−Ｃｅｌｌがオフであることを通知する。例えば、ＰＤＣＣＨにおけるビットフィールドは、Ｓ−Ｃｅｌｌがオン又はオフであるか通知する。他の具体例では、特定のＲＮＴＩ値が、Ｓ−Ｃｅｌｌがオンであることを通知するためＰＤＣＣＨ  ＣＲＣをスクランブル化するのに利用されてもよい。
【００２０】
図２Ｂは、本開示の一部の具体例によるＰ−ＣｅｌｌのＰＤＣＣＨを用いてＳ−Ｃｅｌｌの可用性を示す図２０００を示す。Ｐ−Ｃｅｌｌキャリア２０１０におけるＰＤＣＣＨは、Ｓ−Ｃｅｌｌキャリア２０２０がオン又はオフであるか通知する。図２Ａにおける具体例と対照的に、Ｐ−Ｃｅｌｌ２１１０のＰＤＣＣＨは、以降の期間においてＳ−Ｃｅｌｌの状態を通知する。図２Ｂに示されるように、以降の期間は次の期間であるが、他の具体例では、現在の期間におけるＰ−ＣｅｌｌのＰＤＣＣＨにおけるインジケータは、以降における１つ以上の期間のＳ−Ｃｅｌｌ可用性を示すものであってもよい。これらの具体例は、Ｐ−ＣｅｌｌとＳ−Ｃｅｌｌとの間でスイッチするための追加的な時間をＵＥに提供する。図２Ｂにおいて、時間単位２１３０において、Ｓ−Ｃｅｌｌはオンであるが、Ｐ−ＣｅｌｌはＳ−Ｃｅｌｌが期間２１４０においてオフであることを示す。ＰＤＣＣＨにおけるインジケータは、図２Ａに関して上述された同一のインジケータであってもよい。時間単位２１４０において、Ｓ−Ｃｅｌｌはオフであるが、Ｐ−ＣｅｌｌはＳ−Ｃｅｌｌが期間２１５０においてオンであることを示す。
【００２１】
一部の具体例では、当該通知は、Ｐ−Ｃｅｌｌ又はＳ−Ｃｅｌｌの何れかから送信される何れかのＰＤＣＣＨにおいて送信される。例えば、Ｓ−Ｃｅｌｌ通知は、Ｐ−Ｃｅｌｌ上のリソースをスケジューリングするＰ−Ｃｅｌｌにおいて送信されるＰＤＣＣＨにおいて送信される。他の具体例では、Ｓ−Ｃｅｌｌ通知は、Ｓ−Ｃｅｌｌ上のリソースをスケジューリングするＰＤＣＣＨに送信されるか、Ｐ−Ｃｅｌｌ又はＳ−Ｃｅｌｌ上で送信される。一部の具体例では、ＵＥがＰＤＣＣＨから通知を受信できない場合、又はＰＤＣＣＨを復号化できない場合、ＵＥはＳ−Ｃｅｌｌがオフであると仮定する。
【００２２】
図２Ａ及び２ＢはＳ−Ｃｅｌｌの可用性／非可用性を示すためのインジケータの単一の送信を示したが、他の具体例では、インジケータは複数回送信されてもよい。これはＣＲＣエラーのためアラーム偽検出を低減しうる。例えば、ＵＥが同じ期間においてＳ−Ｃｅｌｌについて異なる通知を検出した場合、ＵＥは、利用不可である期間においてＳ−Ｃｅｌｌにおける不要な活動を回避するため（例えば、不要なチャネル状態情報／無線リソースメッセージング測定などを回避する）、Ｓ−Ｃｅｌｌがオフであると想定してもよい。
【００２３】
一部の具体例では、図２Ａ及び２Ｂのためのハイブリッドアプローチが利用されてもよく、これにより、Ｐ−ＣｅｌｌにおけるＰＤＣＣＨは、現在と以降との双方の期間におけるＳ−Ｃｅｌｌの状態に関するインジケータを有する。
【００２４】
ダウンリンク割当て（例えば、（Ｅ）ＰＤＣＣＨ）インジケータ
利用可能なＳ−Ｃｅｌｌ状態の他のインジケータは、サブフレームにおけるスケジューリング状態である。サブフレームのスケジューリング状態は、スケジューリングされたセルがサブフレームにおいてオフされることを暗黙的に示すものであってもよい。サブフレームにおいてスケジューリングされたセル上でスケジューリングが存在する場合（すなわち、ＰＤＣＣＨがスケジューリングセルから存在する）、セルは当該サブフレームにおいてアクティブである。サブフレームにおいてスケジューリングされたセルにおいてスケジューリングがない場合（すなわち、スケジューリングセルからのＰＤＣＣＨがスケジューリングセルがない）、セルは当該サブフレームにおいて利用不可である。
【００２５】
一部の具体例では、異なるタイプのＰＤＣＣＨが異なる目的のため定義できる。例えば、第１のＰＤＣＣＨはＰＤＳＣＨリソースをスケジューリングするのに利用されてもよく、第２のＰＤＣＣＨはＣＳＩ及び／又はＲＲＭ測定についてサブフレームを示すのに利用されてもよい（すなわち、サブフレームにおいてセルはＣＳＩ／ＲＲＭ測定を実行するための信号を送信するためオンとされる）。これは、セルフキャリア通知とクロスキャリア通知との双方に適用可能であってもよい。明示的なビットフィールドはオン又はオフ状態を示し、この場合、ＰＤＣＣＨが存在することになる。セミパーシステントスケジューリング（ＳＰＳ）がＳ−Ｃｅｌｌに対して設定される場合、対応するＰＤＣＣＨなくＳＰＳ  ＰＤＳＣＨを伝送する全てのサブフレームにおいて、セルはオンとして自動的にみなすことができる。
【００２６】
図３は、本開示の一部の具体例によるスケジューリングを用いてＳ−Ｃｅｌｌの可用性を示す図３０００を示す。期間３０３０において、Ｐ−ＣｅｌｌはＳ−ＣｅｌｌについてＰＤＳＣＨ（物理ダウンリンク共有チャネル）又はＥ−ＰＤＳＣＨをスケジューリングし、Ｓ−Ｃｅｌｌは当該期間において利用可能である。期間３０４０において、Ｐ−ＣｅｌｌはＳ−ＣｅｌｌのＰＤＳＣＨ又はエンハンストＰＤＳＣＨ（ＥＰＤＳＣＨ）について何もスケジューリングしない。期間３０４０において、Ｐ−ＣｅｌｌはＳ−ＣｅｌｌについてＰＤＳＣＨ又はＥＰＤＳＣＨを再びスケジューリングし、Ｓ−Ｃｅｌｌは当該期間において利用可能である。
【００２７】
一部の具体例では、ＰＤＤＣＣＨ及びスケジューリングされたＰＤＳＣＨの出現は、Ｓ−Ｃｅｌｌの現在の可用性を示すか、又は図２Ｂと同様に、以降のタイムフレームにおいてＳ−Ｃｅｌｌの可用性を示すものであってもよい。
【００２８】
ＰＨＩＣＨベースインジケータ
一部の具体例では、物理ハイブリッド自動再送要求インジケータチャネル（ＰＨＩＣＨ）は、Ｓ−Ｃｅｌｌの可用性のためのインジケータとして利用されてもよい。ＰＨＩＣＨは、Ｐ−Ｃｅｌｌ又はＳ−Ｃｅｌｌから送信されてもよい。インジケータとしてのＰＨＩＣＨチャネルの仕様は、ＰＨＩＣＨチャネルを利用するが、ダウンリンク割当てを利用することと同様である。出願人の開示の利益による当業者は、多数の異なるタイプのチャネルが利用可能であると理解するであろう。
【００２９】
更なるダイナミック処理（サブフレームなど）について、一部の具体例では、複数のインジケータがインジケータの階層において利用可能である。例えば、ＰＤＣＣＨによるＳ−Ｃｅｌｌ可用性インジケータ（又はトリガリング）の第２レベル（後述される）が適用可能であり、第２のレベルのインジケータ（例えば、ＰＤＣＣＨによる）は、第１のレベルのインジケータ（例えば、ＤＲＸインジケータ）をオーバライド可能である。
【００３０】
一部の具体例では、ＰＨＩＣＨにおけるインジケータの出現は、Ｓ−Ｃｅｌｌの現在の可用性を示すか、又は図２Ｂと同様に、以降のタイムフレームにおけるＳ−Ｃｅｌｌの可用性を示すものであってもよい。
【００３１】
ビーコン信号ベースインジケータ
一部の具体例では、各種ビーコン信号はＳ−Ｃｅｌｌが利用可能であるか否かを示すのに利用されてもよい。一部の具体例では、ビーコン信号の有無はビーコン信号の可用性又は非可用性を伝達する。他の具体例では、ビーコン信号はインジケータ（例えば、ビットインジケータ）を含むものであってもよい。一例となるビーコン信号は、プライマリ同期信号（ＰＳＳ）、セカンダリ同期信号（ＳＳＳ）、セル固有リファレンス信号（ＣＲＳ）、チャネル状態情報リファレンス信号（ＣＳＩ−ＲＳ）、ポジショニングリファレンス信号（ＰＲＳ）又はディスカバリリファレンス信号（ＤＲＳ）の１つ以上を含むことができる。
【００３２】
一部の具体例では、ビーコン信号の送信時間及び周波数が予め決定されるか、又は設定されている場合、当該時間（例えば、時間単位Ｎ）におけるビーコンの存在は、Ｓ−ＣｅｌｌがＮ＋Ｋにおいて利用可能であることを示し、ここで、Ｋ＝０，１，２，．．．である。一部の具体例では、Ｋは予め決定されるか、あるいは、他の具体例では、Ｋは設定可能であってもよい。
【００３３】
方法及びシステムの説明
図４を参照して、本開示の一部の具体例によるＳ−Ｃｅｌｌがオン又はオフであることを通知するためのｅＮｏｄｅＢの方法４０００のフローチャートが示される。処理４０１０において、ｅＮｏｄｅＢはプライマリセル（Ｐ−Ｃｅｌｌ）を提供する。処理４０２０において、ｅＮｏｄｅＢは、Ｓ−Ｃｅｌｌ周波数帯がＳ−Ｃｅｌｌを提供するため利用可能であると判断する。これは現在の期間又は以降の期間に対するものであってもよい。ｅＮｏｄｅＢは、Ｓ−Ｃｅｌｌ周波数帯が、Ｓ−Ｃｅｌｌを運用する特定の期間をｅＮｏｄｅＢが有する時間スケジューリングアルゴリズムに基づきフリーであると判断してもよい。他の具体例では、ｅＮｏｄｅＢは、媒体上のトラフィックを通知することによって媒体がフリーであると判断してもよい。処理４０３０において、ｅＮｏｄｅＢは、Ｓ−Ｃｅｌｌが利用可能であるという通知をＵＥに送信してもよい。上述されたように、当該通知は多数の形態を取りうる。例えば、当該通知はＤＲＸ通知、ＰＤＣＣＨ通知、スケジューリング通知、ビーコン信号通知、ＰＨＩＣＨ通知などであってもよい。処理４０４０において、ｅＮｏｄｅＢは決定された可用性においてＳ−Ｃｅｌｌを提供してもよい。
【００３４】
図５を参照して、本開示の一部の具体例によるＳ−Ｃｅｌｌ可用性が通知されるＵＥにより実行される方法５０００のフローチャートが示される。処理５０１０において、ＵＥはＰ−Ｃｅｌｌと関連付けしてもよい。処理５０２０において、ＵＥは、Ｓ−Ｃｅｌｌ周波数帯が利用可能であるという通知を受信してもよい。上述されたように、当該通知は多数の形態を取ってもよい。例えば、当該通知は、ＤＲＸ通知、ＰＤＣＣＨ通知、スケジューリング通知、ビーコン信号通知、ＰＨＩＣＨ通知などであってもよい。処理５０３０において、ＵＥはＳ−Ｃｅｌｌを利用してもよい。
【００３５】
図６を参照して、本開示の一部の具体例によるＳ−Ｃｅｌｌ上でキャリアに固有のＤＲＸを実行するためＵＥにより実行される方法６０００のフローチャートが示される。処理６０１０において、ＵＥは、ｅＮｏｄｅＢからＤＲＸパラメータを受信する。これらのパラメータはＳ−Ｃｅｌｌ又はＰ−Ｃｅｌｌの何れかで受信される。例えば、ＰＤＣＣＨなどである。一部の具体例では、これらのパラメータはＬｏｎｇＤＲＸＣｙｃｌｅ及びＯｎＤｕｒａｔｉｏｎＴｉｍｅｒを有してもよい。処理６０２０において、ＤＲＸ期間の最初のアクティブ期間のスタートが始まると、ＵＥはＯｎＤｕｒａｔｉｏｎＴｉｍｅｒ６０２０を設定する。処理６０３０において、ＵＥはＳ−Ｃｅｌｌを利用する。処理６０４０においてＯｎＤｕｒａｔｉｏｎＴｉｍｅｒが満了すると、ＵＥはＰ−Ｃｅｌｌにスイッチバックするか、又はスリープ状態になってもよい。ＵＥはまた次のウェイク期間についてタイマを設定するためＬｏｎｇＤＲＸＣｙｃｌｅ−ＯｎＤｕｒａｔｉｏｎＴｉｍｅｒに等しいタイマを設定してもよい。処理６０６０において、当該タイマは満了し、フロー図は処理６０２０〜６０６０を繰り返すため遷移する。
【００３６】
図７を参照して、本開示の一部の具体例によるＳ−Ｃｅｌｌ可用性を決定するためＵＥにより実行される方法７０００のフローチャートが示される。処理７０１０において、ＵＥは、Ｐ−Ｃｅｌｌ又はＳ−Ｃｅｌｌの何れかにおいてＰＤＣＣＨを受信する。処理７０２０において、ＵＥは、ＰＤＣＣＨからＳ−Ｃｅｌｌ可用性を復号化する。一部の実施例では、Ｓ−Ｃｅｌｌ可用性はＰＤＣＣＨにおける１つ以上のフィールドを調べることによって決定されてもよい。他の具体例では、ＣＲＣビットを復号化するのに利用されるＲＮＴＩは、Ｓ−Ｃｅｌｌがアクティブであるか否かを通知してもよい。処理７０３０においてＳ−Ｃｅｌｌがアクティブであると決定された場合、ＵＥは、指定された期間７０４０においてＳ−Ｃｅｌｌを利用する。Ｓ−Ｃｅｌｌがアクティブでない場合、ＵＥは、処理７０１０においてＰＤＣＣＨを受信することを含む通常処理に戻ってもよい。指定された期間が終了すると、ＵＥはまた、処理７０１０において通常処理に戻ってもよい。
【００３７】
図８を参照して、本開示の一部の具体例によるＳ−Ｃｅｌｌ可用性を決定するためＵＥにより実行される方法８０００のフローチャートが示される。処理８０１０において、ＵＥは、Ｐ−Ｃｅｌｌ又はＳ−Ｃｅｌｌの何れかにおいてＰＤＣＣＨを受信する。処理８０２０において、ＵＥは、Ｓ−Ｃｅｌｌにおいてスケジューリングされているか判断することによって、Ｓ−Ｃｅｌｌ可用性を復号化してもよい。Ｓ−Ｃｅｌｌが処理８０３０においてアクティブであると決定された場合、ＵＥは、指定された期間８０４０においてＳ−Ｃｅｌｌを利用してもよい。Ｓ−Ｃｅｌｌがアクティブでない場合、ＵＥは、処理８０１０においてＰＤＣＣＨを受信することを含む通常処理に戻る。指定された期間が終了すると、ＵＥはまた処理８０１０において通常処理に戻ってもよい。
【００３８】
図９を参照して、本開示の一部の具体例によるＳ−Ｃｅｌｌ可用性を決定するためＵＥにより実行される方法９０００のフローチャートが示される。処理９０１０において、ＵＥは、Ｐ−Ｃｅｌｌ又はＳ−Ｃｅｌｌの何れかにおいてビーコン信号を受信する。処理９０２０において、ＵＥは、上述されたようにビーコンの情報を利用してＳ−Ｃｅｌｌ可用性を復号化する。Ｓ−Ｃｅｌｌ可用性が処理９０３０においてアクティブであると決定された場合、ＵＥは、指定された期間９０４０においてＳ−Ｃｅｌｌを利用する。Ｓ−Ｃｅｌｌがアクティブでない場合、ＵＥは、処理９０１０において、ビーコンのサーチを含む通常処理に戻ってもよい。指定された期間が終了すると、ＵＥはまた、処理９０１０において通常処理に戻ってもよい。
【００３９】
図１０を参照して、本開示の一部の具体例によるｅＮｏｄｅＢ１００１０及びＵＥ１００２０の論理的概略が示される。ｅＮｏｄｅＢ１００１０及びＵＥ１００２０は、Ｐ−Ｃｅｌｌ接続１００９０及び／又はＳ−Ｃｅｌｌ接続１０１００を介し通信してもよい。ｅＮｏｄｅＢ１００１０は、制御モジュール１００３０を有する。制御モジュール１００３０は、１つ以上のＵＥ（ＵＥ１００２０など）にＳ−Ｃｅｌｌ可用性又は非可用性の通知を提供し、Ｐ−Ｃｅｌｌ、Ｓ−Ｃｅｌｌなどを提供することを連携する。制御モジュール１００３０は、Ｓ−Ｃｅｌｌが利用可能であるときを判断し、ＵＥに通知を提供するためここに開示される方法の何れかに従って、他のモジュール（例えば、Ｐ−Ｃｅｌｌモジュール１００４０及びＳ−Ｃｅｌｌモジュール１００５０など）にＳ−Ｃｅｌｌの可用性の通知をＵＥに送信するよう指示してもよい。一部の具体例では、制御モジュール１００３０は、ＵＥがＳ−Ｃｅｌｌの可用性に一致する期間にウェイク状態になるように、１つ以上のＵＥ（ＵＥ１００２０など）のための１つ以上のキャリア固有（例えば、Ｓ−Ｃｅｌｌに固有）のＤＲＸを決定してもよい。ｅＮｏｄｅＢ１００１０は、何れかのＰＤＣＣＨチャネル、ＰＤＳＣＨチャネル、パイロットチャネル、ＰＨＩＣＨチャネル、ビーコン信号などを含む、Ｐ−Ｃｅｌｌを提供するＰ−Ｃｅｌｌモジュール１００４０を有してもよい。Ｓ−Ｃｅｌｌモジュール１００５０は、何れかのＰＤＣＣＨチャネル、ＰＤＳＣＨチャネル、パイロットチャネル、ＰＨＩＣＨチャネル、ビーコン信号などを含むＳ−Ｃｅｌｌを提供してもよい。
【００４０】
ＵＥ１００２０は、Ｓ−Ｃｅｌｌ可用性を判定すると共に、Ｐ−Ｃｅｌｌ及びＳ−Ｃｅｌｌとの利用の間で連携する制御モジュール１００６０を有してもよい。Ｐ−Ｃｅｌｌモジュール１００７０は、ｅＮｏｄｅＢ１００１０と関連付けし、Ｐ−Ｃｅｌｌ１００９０を介し通信してもよい。Ｐ−Ｃｅｌｌモジュール１００７０は、ＰＤＣＣＨ、ビーコン信号、ＰＨＩＣＨ、スケジューリング情報、ＤＲＸ情報などを復号化してもよい。Ｓ−Ｃｅｌｌモジュール１００８０は、ｅＮｏｄｅＢ１００１０と関連付けし、Ｓ−Ｃｅｌｌ１０１００を介し通信してもよい。Ｓ−Ｃｅｌｌモジュール１００８０は、ＰＤＣＣＨ、ビーコン信号、ＰＨＩＣＨ、スケジューリング情報、ＤＲＸ情報などを復号化してもよい。Ｐ−Ｃｅｌｌモジュール１００７０及びＳ−Ｃｅｌｌモジュール１００８０は、受信した通知（例えば、ＤＲＸ情報、ＰＤＣＣＨ通知、ビーコン信号、ＰＨＩＣＨ情報など）を制御モジュール１００６０にわたす。制御モジュール１００６０は、Ｓ−Ｃｅｌｌが利用可能であるか、また一部の具体例ではＳ−Ｃｅｌｌが利用可能であるときを通知に基づき判断する。制御モジュール１００６０はまた、受信したＤＲＸパラメータに基づきＵＥを設定してもよい。例えば、制御モジュール１００６０は、ＵＥをウェイク及びスリープ状態にするため１つ以上のタイマを設定する。一部の具体例では、制御モジュールは、ＵＥがＰ−Ｃｅｌｌ又はＳ−Ｃｅｌｌを介しｅＮｏｄｅＢと関連付けされているか判断してもよい。
【００４１】
Ｐ−Ｃｅｌｌモジュール１００４０，１００７０は、Ｐ−Ｃｅｌｌの物理（ＰＨＹ）レイヤ、ＭＡＣ（Ｍｅｄｉｕｍ  Ａｃｃｅｓｓ  Ｃｏｎｔｒｏｌ）レイヤ、無線リンク制御、パケットデータコンバージェンスプロトコルなどを含むプロトコルスタックの１つ以上のレイヤを実現してもよい。Ｓ−Ｃｅｌｌモジュール１００５０，１００８０は、Ｓ−Ｃｅｌｌの物理（ＰＨＹ）レイヤ、ＭＡＣ（Ｍｅｄｉｕｍ  Ａｃｃｅｓｓ  Ｃｏｎｔｒｏｌ）レイヤ、無線リンク制御、パケットデータコンバージェンスプロトコルなどを含むプロトコルスタックの１つ以上のレイヤを実現してもよい。一部の具体例では、ｅＮｏｄｅＢ１００１０及びＵＥは、３ＧＰＰ（３ｒｄ  Ｇｅｎｅｒａｔｉｏｎ  Ｐａｒｔｎｅｒｓｈｉｐ  Ｐｒｏｊｅｃｔ）によって公表されるＬＴＥ規格ファミリに従って動作してもよい。ＵＥ及びｅＮｏｄｅＢが動作する他の一例となるプロトコルは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍｓ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）などを含む。
【００４２】
図１１は、ここで説明される技術（方法など）の何れか１つ以上が実行可能な一例となるマシーン１１０００のブロック図を示す。他の実施例では、マシーン１１０００は、スタンドアローンデバイスとして動作してもよいし、あるいは、他のマシーンに接続（ネットワーク化）されてもよい。ネットワーク化された配置では、マシーン１１０００は、サーバ・クライアントネットワーク環境においてサーバマシーン、クライアントマシーン又はその双方のキャパシティにおいて動作してもよい。一例では、マシーン１１０００は、ピア・ツー・ピア（Ｐ２Ｐ）（又は他の分散化された）ネットワーク環境においてピアマシーンとして動作してもよい。マシーン１１０００は、ＵＥ、ｅＮｏｄｅＢ、パーソナルコンピュータ（ＰＣ）、タブレットＰＣ、セットトップボックス（ＳＴＢ）、パーソナルデジタルアシスタント（ＰＤＡ）、携帯電話、スマートフォン、ウェブ機器、ネットワークルータ、スイッチ若しくはブリッジ又は当該マシーンにより実行されるアクションを指示する命令（シーケンシャル又はその他）を実行可能な何れかのマシーンであってもよい。マシーン１１０００は、図１０のモジュールの何れか１つを実現してもよい。さらに、１つのマシーンしか示されていないが、“マシーン”という用語は、クラウドコンピューティング、ソフトウェア、ＳａａＳ（Ｓｏｆｔｗａｒｅ  ａｓ  ａ  Ｓｅｒｖｉｃｅ）、他のコンピュータクラスタコンフィギュレーションなど、ここに説明される方法の何れか１つ以上を実行するための命令セットを個別に又は結合して実行して何れかのマシーンコレクションを含むと解釈される。
【００４３】
ここで説明される具体例は、ロジック又は複数のコンポーネント、モジュール又は機構を含むか、あるいは動作してもよい。モジュールは、指定された処理を実行可能な有形な（ハードウェア）エンティティであり、特定の方式で設定又は構成されてもよい。一例では、回路はモジュールとして指定された方式で構成されてもよい（例えば、内部的又は他の回路などの外部エンティティに関して）。一例では、１つ以上のコンピュータシステム（例えば、スタンドアローン、クライアント又はサーバコンピュータシステム）又は１つ以上のハードウェアプロセッサの全体又は一部は、指定された処理を実行するよう動作するモジュールとしてファームウェア又はソフトウェア（例えば、命令、アプリケーション部分又はアプリケーション）によって構成されてもよい。一例では、ソフトウェアはマシーン可読媒体に常駐してもよい。一例では、ソフトウェアは、モジュールの基礎となるハードウェアによって実行されると、ハードウェアに指定された処理を実行させる。
【００４４】
従って、“モジュール”という用語は、指定された方式で動作するか、又はここで説明される何れかの処理の一部又は全てを実行するよう物理的に構成される、具体的に構成される（配線化など）又は一時的に構成（プログラムなど）されるエンティティである有形なエンティティを含むと理解される。モジュールが一時的に構成される具体例を考えると、各モジュールは何れかの時点でインスタンスされる必要はない。例えば、モジュールがソフトウェアを用いて構成される汎用ハードウェアプロセッサを有する場合、汎用ハードウェアプロセッサは、異なる時点で異なるモジュールとして構成されてもよい。ソフトウェアは、例えば、ある時点において特定のモジュールを構成し、異なる時点において異なるモジュールを構成するようハードウェアプロセッサを設定してもよい。
【００４５】
マシーン（コンピュータシステムなど）１１０００は、ハードウェアプロセッサ１１００２（中央処理ユニット（ＣＰＵ）、グラフィクス処理ユニット（ＧＰＵ）、ハードウェアプロセッサコア又はこれらの何れかの組み合わせなど）、メインメモリ１１００４及びスタティックメモリ１１００６を有してもよく、その一部又は全てがインターリンク（バスなど）１１００８を介し互いに通信してもよい。マシーン１１０００は更に、ディスプレイユニット１１０１０、英数字入力デバイス１１０１２（キーボードなど）、及びユーザインタフェース（ＵＩ）ナビゲーションデバイス１１０１４（マウスなど）を有してもよい。一例では、ディスプレイユニット１１０１０、入力デバイス１１０１２及びＵＩナビゲーションデバイス１１０１４は、タッチ画面ディスプレイであってもよい。マシーン１１０００は更に、ストレージデバイス（ドライブユニットなど）１１０１６、信号生成デバイス１１０１８（スピーカなど）、ネットワークインタフェースデバイス１１０２０及び、ＧＰＳ（Ｇｌｏｂａｌ  Ｐｏｓｉｔｉｏｎｉｎｇ  Ｓｙｓｔｅｍ）センサ、コンパス、加速度計又は他のセンサなどの１つ以上のセンサ１１０２１を含むものであってもよい。マシーン１１０００は、１つ以上の周辺デバイス（プリンタ、カードリーダなど）を通信又は制御するため、シリアル（ＵＳＢ（Ｕｎｉｖｅｒｓａｌ  Ｓｅｒｉａｌ  Ｂｕｓ）など、パラレル又は他の有線若しくは無線（赤外線（ＩＲ）、ＮＦＣ（Ｎｅａｒ  Ｆｉｌｅｄ  Ｃｏｍｍｕｎｉｃａｔｉｏｎ）など）接続などの出力コントローラ１１０２８を有してもよい。
【００４６】
ストレージデバイス１１０１６は、ここに説明された技術又は機能の何れか１つ以上によって実現又は利用される１つ以上のデータ構造又は命令セット１１０２４（ソフトウェアなど）が記憶されたマシーン可読媒体１１０２２を有してもよい。命令１１０２４はまたマシーン１１０００による実行中にメインメモリ１１００４内、スタティックメモリ１１００６内又はハードウェアプロセッサ１１００２内に完全に又は少なくも部分的に常駐してもよい。一例では、ハードウェアプロセッサ１１００２、メインメモリ１１００４、スタティックメモリ１１００６又はストレージデバイス１１０１６の１つ又は何れかの組み合わせは、マシーン可読媒体を構成してもよい。
【００４７】
マシーン可読媒体１１０２２は単一の媒体として示されているが、“マシーン可読媒体”という用語は、１つ以上の命令１１０２４を記憶するよう構成される１つ以上の媒体（例えば、中央又は分散データベース及び／又は関連するキャッシュ及びサーバなど）を含むものであってもよい。
【００４８】
“マシーン可読媒体”という用語は、マシーン１１０００による実行のための命令を記憶、符号化又は担持可能であって、マシーン１１０００に本開示の技術の何れか１つ以上を実行させるか、あるいは、当該命令によって用いられる又は関連するデータ構造を記憶、符号化又は担持可能な何れかの媒体を含むものであってもよい。非限定的なマシーン可読媒体の具体例は、ソリッドステートメモリ及び光及び磁気媒体を含むものであってもよい。マシーン可読媒体の特定の具体例は、半導体メモリデバイス（例えば、ＥＰＲＯＭ（Ｅｌｅｃｔｒｉｃａｌｌｙ  Ｐｒｏｇｒａｍｍａｂｌｅ  Ｒｅａｄ−Ｏｎｌｙ  Ｍｅｍｏｒｙ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）など）及びフラッシュメモリデバイス、内部ハードディスク及び着脱可能ディスクなどの磁気ディスク、光磁気ディスク、ＲＡＭ（Ｒａｎｄｏｍ  Ａｃｃｅｓｓ  Ｍｅｍｏｒｙ）、ＳＳＤ（Ｓｏｌｉｄ  Ｓｔａｔｅ  Ｄｒｉｖｅ）及びＣＤ−ＲＯＭ及びＤＶＤ−ＲＯＭディスクなどの不揮発性メモリを含むものであってもよい。一部の具体例では、マシーン可読媒体は非一時的なマシーン可読媒体を含むものであってもよい。一部の具体例では、マシーン可読媒体は、一時的な伝搬信号でないマシーン可読媒体を含むものであってもよい。
【００４９】
命令１１０２４は更に、ネットワークインタフェースデバイス１１０２０を介し伝送媒体を用いて通信ネットワーク１１０２６を介し送受信されてもよい。マシーン１１０００は、複数の伝送プロトコル（例えば、フレームリレイ、インターネットプロトコル（ＩＰ）、伝送制御プロトコル（ＴＣＰ）、ユーザデータグラムプロトコル（ＵＤＰ）、ハイパーテキストトランスファプロトコル（ＨＴＴＰ）など）の何れか１つを用いて１つ以上の他のマシーンと通信してもよい。一例となる通信ネットワークは、ローカルエリアネットワーク（ＬＡＮ）、ワイドエリアネットワーク（ＷＡＮ）、パケットデータネットワーク（インターネットなど）、携帯電話ネットワーク（セルラネットワークなど）、ＰＯＴＳ（Ｐｌａｉｎ  Ｏｌｄ  Ｔｅｌｅｐｈｏｎｅ）ネットワーク及び無線データネットワーク（例えば、Ｗｉ−Ｆｉ（登録商標）として知られるＩＥＥＥ８０２．１１規格ファミリ、ＷｉＭＡＸ（登録商標）として知られるＩＥＥＥ８０２．１６規格ファミリ、ＩＥＥＥ８０２．１５．４規格ファミリ、ＬＴＥ規格ファミリ、ＵＭＴＳ規格ファミリ、Ｐ２Ｐネットワークなど）を含むものであってもよい。一例では、ネットワークインタフェースデバイス１１０２０は、通信ネットワーク１１０２６に接続するための１つ以上の物理ジャック（例えば、イーサネット（登録商標）、同軸又は電話ジャックなど）又は１つ以上のアンテナを有してもよい。一例では、ネットワークインタフェースデバイス１１０２０は、ＳＩＭＯ（Ｓｉｎｇｌｅ−Ｉｎｐｕｔ  Ｍｕｌｔｉｐｌｅ−Ｏｕｔｐｕｔ）、ＭＩＭＯ（Ｍｕｌｔｉｐｌｅ−Ｉｎｐｕｔ  Ｍｕｌｔｉｐｌｅ−Ｏｕｔｐｕｔ）又はＭＩＳＯ（Ｍｕｌｔｉｐｌｅ−Ｉｎｐｕｔ  Ｓｉｎｇｌｅ−Ｏｕｔｐｕｔ）技術の少なくとも１つを用いて無線通信するための複数のアンテナを有してもよい。一部の具体例では、ネットワークインタフェースデバイス１１０２０は、マルチユーザＭＩＭＯ技術を用いて無線通信してもよい。
【００５０】
他の留意点及び具体例
具体例１は、セルがアンライセンス周波数帯において利用可能であるとき、ユーザ装置（ＵＥ）に通知するための主題（方法、処理を実行する手段、マシーンにより実行されると、マシーンに処理を実行させる命令を記憶するマシーン可読媒体など）を有し、ライセンス周波数帯においてＰ−Ｃｅｌｌを提供し、アンライセンス周波数帯が決定されたタイムウィンドウにおいてセカンダリセル（Ｓ−Ｃｅｌｌ）による利用のため利用可能であると判断し、当該周波数帯が決定されたタイムスロットの少なくとも一部においてＵＥによる利用のため利用可能であるという通知をＵＥに送信し、決定されたタイムウィンドウにおいて当該周波数帯においてＳ−Ｃｅｌｌを提供することを含む。
【００５１】
具体例２において、具体例１の主題は、通知は、決定されたタイムウィンドウにおいてＳ−ＣｅｌｌにアクセスするようＵＥに指示する間欠受信（ＤＲＸ）サイクルを指定するＲＲＣ（Ｒａｄｉｏ  Ｒｅｓｏｕｒｃｅ  Ｃｏｎｔｒｏｌ）メッセージであることを任意的に含むものであってもよい。
【００５２】
具体例３において、具体例１〜２の何れか１つ以上の主題は、通知は、ＰＤＣＣＨ（Ｐｈｙｓｉｃａｌ  Ｄｏｗｎｌｉｎｋ  Ｃｏｎｔｒｏｌ  Ｃｈａｎｎｅｌ）に配置されることを任意的に含むものであってもよい。
【００５３】
具体例４において、具体例１〜３の何れか１つ以上の主題は、通知は、ＰＤＣＣＨにおけるビットフィールドであることを任意的に含むものであってもよい。
【００５４】
具体例５において、具体例１〜４の何れか１つ以上の主題は、通知を送信する処理が、アンライセンス周波数帯がＳ−Ｃｅｌｌによる利用のため利用可能であることを通知する所定のＲＮＴＩ（Ｒａｄｉｐ  Ｎｅｔｗｏｒｋ  Ｔｅｍｐｏｒａｒｙ  Ｉｄｅｎｔｉｆｉｅｒ）を用いて、ＰＤＣＣＨのＣＲＣ（Ｃｙｃｌｉｃ  Ｒｅｄｕｎｄａｎｃｙ  Ｃｈｅｃｋ）フィールドをスクランブル化することによって、ＰＤＣＣＨを構成することを有することを任意的に含むものであってもよい。
【００５５】
具体例６において、具体例１〜５の何れか１つ以上の主題は、通知を送信する処理が、Ｐ−Ｃｅｌｌ上で送信されるＰＤＣＣＨ上のＳ−ＣｅｌｌのＰＤＳＣＨ（Ｐｈｙｓｉｃａｌ  Ｄｏｗｎｌｉｎｋ  Ｓｈａｒｅｄ  Ｃｈａｎｎｅｌ）をスケジューリングすることを有することを任意的に含むものであってもよい。
【００５６】
具体例７において、具体例１〜６の何れか１つ以上の主題は、通知を送信する処理が、Ｓ−Ｃｅｌｌ上で送信されるＰＤＣＣＨ上のＳ−ＣｅｌｌのＰＤＳＣＨをスケジューリングすることを有することを任意的に含むものであってもよい。
【００５７】
具体例８において、具体例１〜７の何れか１つ以上の主題は、通知は、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）に配置されることを任意的に含むものであってもよい。
【００５８】
具体例９において、具体例１〜８の何れか１つ以上の主題は、通知は、ビーコン信号に配置されることを任意的に含むものであってもよい。
【００５９】
具体例１０において、具体例１〜９の何れか１つ以上の主題は、決定されたタイムウィンドウの少なくとも一部は、決定されたタイムウィンドウの全体であることを任意的に含むものであってもよい。
【００６０】
具体例１１において、具体例１〜１０の何れか１つ以上の主題は、Ｓ−Ｃｅｌｌを提供する処理が、決定されたタイムスロットと１つ以上の他の連続するタイムスロットとにおいてのみＳ−Ｃｅｌｌを提供することを任意的に含むものであってもよい。
【００６１】
具体例１２において、具体例１〜１１の何れか１つ以上の主題は、決定されたタイムウィンドウは、セルに固有の方式で設定されることを任意的に含むものであってもよい。
【００６２】
具体例１３は、プライマリ周波数帯においてＰ−Ｃｅｌｌを提供し、セカンダリ周波数帯がタイムスロットにおいてセカンダリセル（Ｓ−Ｃｅｌｌ）による利用のため利用可能であると判断し、Ｓ−Ｃｅｌｌがタイムスロットにおいて関連付けのため利用可能であるという通知をＵＥに送信し、タイムスロットにおいてデータチャネルを含むＳ−Ｃｅｌｌを提供するよう構成されるハードウェア処理回路を有する主題（ｅＮｏｄｅＢ、デバイス、装置又はマシーンなど）を含むように具体例１〜１２の何れか１つの主題を任意的に含むか、又は組み合わされてもよい。
【００６３】
具体例１４において、具体例１〜１３の何れか１つ以上の主題は、通知は、決定されたタイムスロットにおいてＳ−ＣｅｌｌにアクセスするようＵＥに維持する間欠受信（ＤＲＸ）サイクルを指定するＲＲＣメッセージであることを任意的に含むものであってもよい。
【００６４】
具体例１５において、具体例１〜１４の何れか１つ以上の主題は、通知は、ＰＤＣＣＨに配置されることを任意的に含むものであってもよい。
【００６５】
具体例１６において、具体例１〜１５の何れか１つ以上の主題は、通知は、ＰＤＣＣＨにおけるビットフィールドであることを任意的に含むものであってもよい。
【００６６】
具体例１７において、具体例１〜１６の何れか１つ以上の主題は、ハードウェア処理回路は、アンライセンス周波数帯がＳ−Ｃｅｌｌによる利用のため利用可能であることを通知する所定のＲＮＴＩ（Ｒａｄｉｐ  Ｎｅｔｗｏｒｋ  Ｔｅｍｐｏｒａｒｙ  Ｉｄｅｎｔｉｆｉｅｒ）を用いて、ＰＤＣＣＨのＣＲＣ（Ｃｙｃｌｉｃ  Ｒｅｄｕｎｄａｎｃｙ  Ｃｈｅｃｋ）フィールドをスクランブル化することによって、ＰＤＣＣＨを少なくとも構成することによって通知を送信することを任意的に含むものであってもよい。
【００６７】
具体例１８において、具体例１〜１７の何れか１つ以上の主題は、ハードウェア処理回路は、Ｐ−Ｃｅｌｌ上で送信されるＰＤＣＣＨ上のＳ−ＣｅｌｌのＰＤＳＣＨ（Ｐｈｙｓｉｃａｌ  Ｄｏｗｎｌｉｎｋ  Ｓｈａｒｅｄ  Ｃｈａｎｎｅｌ）を少なくともスケジューリングすることによって通知を送信することを任意的に含むものであってもよい。
【００６８】
具体例１９において、具体例１〜１８の何れか１つ以上の主題は、ハードウェア処理回路は、Ｓ−Ｃｅｌｌ上で送信されるＰＤＣＣＨ上のＳ−ＣｅｌｌのＰＤＳＣＨを少なくともスケジューリングすることによって通知を送信することを任意的に含むものであってもよい。
【００６９】
具体例２０において、具体例１〜１９の何れか１つ以上の主題は、通知は、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）に配置されることを任意的に含むものであってもよい。
【００７０】
具体例２１において、具体例１〜２０の何れか１つ以上の主題は、通知は、ビーコン信号に配置されることを任意的に含むものであってもよい。
【００７１】
具体例２２において、具体例１〜２１の何れか１つ以上の主題は、決定されたタイムスロットの少なくとも一部は、決定されたタイムスロットの全体であることを任意的に含むものであってもよい。
【００７２】
具体例２３において、具体例１〜２２の何れか１つ以上の主題は、Ｓ−Ｃｅｌｌは、決定されたタイムスロットと１つ以上の他の連続するタイムスロットとにおいてのみ提供されることを任意的に含むものであってもよい。
【００７３】
具体例２４において、具体例１〜２３の何れか１つ以上の主題は、決定されたタイムスロットは、セルに固有の方式で設定されることを任意的に含むものであってもよい。
【００７４】
具体例２５は、ｅＮｏｄｅＢにより提供されるライセンス周波数帯においてＰ−Ｃｅｌｌと関連付けし、セカンダリセル（Ｓ−Ｃｅｌｌ）が特定の期間においてアンライセンス周波数帯において利用可能であるという通知をＰ−Ｃｅｌｌ上で受信し、特定の期間においてアンライセンス周波数帯上でｅＮｏｄｅＢにより提供されるＳ−Ｃｅｌｌと関連付けするよう構成されるハードウェア処理回路を有する主題（ＵＥ、デバイス、装置又はマシーンなど）を含むように具体例１〜２４の何れか１つの主題を任意的に含むか、又は組み合わされてもよい。
【００７５】
具体例２６において、具体例１〜２５の何れか１つ以上の主題は、通知は、間欠受信（ＤＲＸ）サイクルを指定するＲＲＣメッセージであることを任意的に含むものであってもよい。
【００７６】
具体例２７において、具体例１〜２６の何れか１つ以上の主題は、通知は、ＰＤＣＣＨに配置されることを任意的に含むものであってもよい。
【００７７】
具体例２８において、具体例１〜２７の何れか１つ以上の主題は、通知は、ＰＤＣＣＨにおけるビットフィールドであることを任意的に含むものであってもよい。
【００７８】
具体例２９において、具体例１〜２８の何れか１つ以上の主題は、通知は、ＰＤＣＣＨのＣＲＣをスクランブル化するため特定のＲＮＴＩを利用することであることを任意的に含むものであってもよい。
【００７９】
具体例３０において、具体例１〜２９の何れか１つ以上の主題は、通知は、Ｐ−Ｃｅｌｌ上で受信されるＰＤＣＣＨ上のＳ−ＣｅｌｌのＰＤＳＣＨをｅＮｏｄｅＢがスケジューリングすることであることを任意的に含むものであってもよい。
【００８０】
具体例３１において、具体例１〜３０の何れか１つ以上の主題は、通知は、Ｓ−Ｃｅｌｌ上で受信されるＰＤＣＣＨ上のＳ−ＣｅｌｌのＰＤＳＣＨをｅＮｏｄｅＢがスケジューリングすることであることを任意的に含むものであってもよい。
【００８１】
具体例３２において、具体例１〜３１の何れか１つ以上の主題は、通知は、ＰＨＩＣＨに配置されることを任意的に含むものであってもよい。
【００８２】
具体例３３において、具体例１〜３２の何れか１つ以上の主題は、通知は、ビーコン信号に配置されることを任意的に含むものであってもよい。
【００８３】
具体例３４は、ユーザ装置（ＵＥ）において、ｅＮｏｄｅＢにより提供されるライセンス周波数帯においてＰ−Ｃｅｌｌと関連付けし、セカンダリセル（Ｓ−Ｃｅｌｌ）が特定の期間においてアンライセンス周波数帯において利用可能であるという通知をＰ−Ｃｅｌｌ上で受信し、特定の期間においてアンライセンス周波数帯上でｅＮｏｄｅＢにより提供されるＳ−Ｃｅｌｌと関連付けすることを含む、セルにアクセスするための主題（方法、処理を実行する手段、処理を実行する命令を含むマシーン可読媒体など）を含むように具体例１〜３３の何れか１つの主題を任意的に含むか、又は組み合わされてもよい。
【００８４】
具体例３５において、具体例１〜３４の何れか１つ以上の主題は、通知は、間欠受信（ＤＲＸ）サイクルを指定するＲＲＣメッセージであることを任意的に含むものであってもよい。
【００８５】
具体例３６において、具体例１〜３５の何れか１つ以上の主題は、通知は、ＰＤＣＣＨに配置されることを任意的に含むものであってもよい。
【００８６】
具体例３７において、具体例１〜３６の何れか１つ以上の主題は、通知は、ＰＤＣＣＨにおけるビットフィールドであることを任意的に含むものであってもよい。
【００８７】
具体例３８において、具体例１〜３７の何れか１つ以上の主題は、通知は、ＰＤＣＣＨのＣＲＣをスクランブル化するため特定のＲＮＴＩを利用することであることを任意的に含むものであってもよい。
【００８８】
具体例３９において、具体例１〜３８の何れか１つ以上の主題は、通知は、Ｐ−Ｃｅｌｌ上で受信されるＰＤＣＣＨ上のＳ−ＣｅｌｌのＰＤＳＣＨをｅＮｏｄｅＢがスケジューリングすることであることを任意的に含むものであってもよい。
【００８９】
具体例４０において、具体例１〜３９の何れか１つ以上の主題は、通知は、Ｓ−Ｃｅｌｌ上で受信されるＰＤＣＣＨ上のＳ−ＣｅｌｌのＰＤＳＣＨをｅＮｏｄｅＢがスケジューリングすることであることを任意的に含むものであってもよい。
【００９０】
具体例４１において、具体例１〜４０の何れか１つ以上の主題は、通知は、ＰＨＩＣＨに配置されることを任意的に含むものであってもよい。
【００９１】
具体例４２において、具体例１〜４１の何れか１つ以上の主題は、通知は、ビーコン信号に配置されることを任意的に含むものであってもよい。
【図１】
0006363224.tif 000002
【図２Ａ】
0006363224.tif 000003
【図２Ｂ】
0006363224.tif 000004
【図３】
0006363224.tif 000005
【図４】
0006363224.tif 000006
【図５】
0006363224.tif 000007
【図６】
0006363224.tif 000008
【図７】
0006363224.tif 000009
【図８】
0006363224.tif 000010
【図９】
0006363224.tif 000011
【図１０】
0006363224.tif 000012
【図１１】
0006363224.tif 000013